(57)【特許請求の範囲】
【請求項１】
着座者を下方から支える座部及び当該座部に対してほぼ直角に設けられるものであって着座者の背部を支持する背当部からなるとともに、これらが簡単な操作にて組立てられるようにした組立式ソファにおいて、上記座部を、着座者の臀部を支持するものであって所定の弾発力を有するように形成されたクッション部及び当該クッション部の左右両脇に当該クッション部と一体的に形成されるものであって当該クッション部の高さよりも上下方向において所定の値だけ高く形成される肘掛け部からなるようにするとともに、当該肘掛け部における内側のところであって上方端部付近のところにＴスタッド状の形態からなるストライカを設け、このような構成からなる座部の前後方向の一方の端部側のところに本座部に対してほぼ直角に設けられる背当部を、所定の厚さを有するものであって、その立面視において長方形の形態からなるようにするとともに、上記座部の両脇に形成された左右の肘掛け部間内に納まる形態からなるようにし、更には、所定の弾発性を有するように形成させ、このような背当部の、その側面部のところに、その縦方向に、かつ、背当部の下端面のところまでガイド溝を設けるとともに、当該ガイド溝の上記背当部の下端面部周りのところを下方に向かって末拡がり状に開いた形態からなるようにし、このようなガイド溝の上記末拡がり部のところに上記肘掛け部に設けられたストライカを臨ませるとともに、このような状態において上記背当部を下方に押し下げることによって上記ガイド溝のところに上記ストライカを係合させ、これによって、上記背当部と上記座部とを連結させるようにした構成からなることを特徴とする組立式ソファ。
【発明の詳細な説明】
【技術分野】
【０００１】
本発明は、クッション部、背当部、肘掛け部等が、それぞれある程度まとめられてサブアセンブリの状態に形成されたものを基礎に、これらを簡単な作業にて組み立ててソファを形成させるようにした、組立式のソファ、すなわち、組立式ソファに関するものである。
【背景技術】
【０００２】
従来の、この種のものとしては、例えば特開平８−１１２１５８号公報記載のものの如く、肘掛け部等が所定のボルト・ナット等を用いて組付けられるようになっているものが挙げられる。そして、このような組付け作業（組立作業）は工場で行なわれ、完成品としてでき上がった状態のものが出荷されるようになっているものである。
【先行技術文献】
【特許文献】
【０００３】
【特許文献１】特開平８−１１２１５８号公報
【発明の概要】
【発明が解決しようとする課題】
【０００４】
ところで、上記従来のものにおいては、一定の期間使用されたものに関して、クッション部あるいは背当部に設けられている表皮部のカバー類等をクリーニング等のために取り外そうとする場合、簡単には行なえない。また、各パーツ類が故障をしたような場合にも、ソファ全体を工場に送り返すか、あるいは特定の作業員が特殊な工具類を用いて修理等を行なわなければならないと言う問題点がある。このような問題点を解決するために、背当部を初めとした各パーツ類を着脱可能なようにした組立式のソファ、すなわち組立式ソファを提供しようとするのが、本発明の目的（課題）である。
【課題を解決するための手段】
【０００５】
上記課題を解決するために、本発明においては次のような手段を講ずることとした。すなわち、請求項１記載の発明である第一の発明においては、着座者を下方から支える座部及び当該座部に対してほぼ直角に設けられるものであって着座者の背部を支持する背当部からなるとともに、これらが簡単な操作にて組立てられるようにした組立式ソファに関して、上記座部を、着座者の臀部を支持するものであって所定の弾発力を有するように形成されたクッション部及び当該クッション部の左右両脇に当該クッション部と一体的に形成されるものであって当該クッション部の高さよりも上下方向において所定の値だけ高く形成される肘掛け部からなるようにするとともに、当該肘掛け部における内側のところであって上方端部付近のところにＴスタッド状の形態からなるストライカを設け、このような構成からなる座部の前後方向の一方の端部側のところに本座部に対してほぼ直角に設けられる背当部を、所定の厚さを有するものであって、その立面視において長方形の形態からなるようにするとともに、上記座部の両脇に形成された左右の肘掛け部間内に納まる形態からなるようにし、更には、所定の弾発性を有するように形成させ、このような背当部の、その側面部のところに、その縦方向に、かつ、背当部の下端面のところまでガイド溝を設けるとともに、当該ガイド溝の上記背当部の下端面部周りのところを下方に向かって末拡がり状に開いた形態からなるようにし、このようなガイド溝の上記末拡がり部のところに上記肘掛け部に設けられたストライカを臨ませるとともに、このような状態において上記背当部を下方に押し下げることによって上記ガイド溝のところに上記ストライカを係合させ、これによって、上記背当部と上記座部とを連結させるようにした構成を採ることとした。
【発明の効果】
【０００８】
請求項１記載の発明である第一の発明について説明する。本発明によれば、上記構成を採ることにより、背当部を、随時、簡単に取り外すことができるようになる。すなわち、連結装置を形成する雄ネジ部を開放させるとともに、このような状態において背当部を上方へ持上げることによって、肘掛け部に設けられた支持ピンと背当部に設けられたガイド溝との間の係合状態を開放させることができるようになる。その結果、各部を形成する各構成部品の取り換え作業、及び保守・点検作業等を簡単に行なうことができるようになる。更には、上記背当部をクッション部から取り外すとともに、当該背当部を寝かせた状態でクッション部上に設置（搭載）することによって、全体的にほぼ立方体の形態に取りまとめることができるようになる。このような形態を形成させることによって梱包等を円滑に行なうことができるようになる。その結果、搬送に際して、少ない空間内に多数のものを収容することができるようになり、搬送効率の向上を図ることができるようになる。
【０００９】
また、本発明のものにおいては、背当部に設けられたガイド溝が、その下端部のところにおいて末拡がり状に拡がった形態になっていることより、背当部の装着、すなわち、組立式ソファの組立作業が、円滑に、かつ、簡単に行なわれることとなる。具体的には、上記背当部を立てた状態にて座部の後方部等に持って行くとともに、末拡がり状に開いた溝状形態からなるガイド溝のところを上記肘掛け部に設けられたＴスタッド状の形態からなるストライカのところに設置することによって、上記ストライカのガイド溝への係合を簡単に行なわせることができるようになる。そして、このような状態において、背当部全体を下方へと降ろして行くことによって、背当部の設置（セット）作業が完了することとなる。また、これとは逆の操作をすることによって、背当部の取外し作業も簡単に行なわれることとなる。
【００１０】
また、本発明のものにおいては、これらに加えて、背当部の下端部のところにネジ機構からなる連結装置が設けられるとともに、この連結装置を介して背当部の下端面と座部の下端部とが連結され、固定されるようになっている。これによって、背当部と座部との連結が確実に行われるようになり、クッションとしての安定した状態が確保されることとなる。また、このようにして組み立られた本ソファは、雄ネジ部を主に形成される連結装置を操作することによって背当部と座部との結合を簡単に外すことができ、これによって両者の梱包作業等を円滑に行なうことができるようになる。
【図面の簡単な説明】
【００１１】
【図１】本発明の全体構成を示す展開斜視図である。
【図２】本発明の主要部を成すストライカのガイド部への係合状態を示す図である。
【図３】本発明の主要部を成す背当部、クッション部、肘掛け部の全体構成を示す展開斜視図である。
【図４】本発明にかかる背当部及び座部を収納容器内へ収納する手順を示す図である。
【発明を実施するための形態】
【００１２】
本発明を実施するための形態について、図１ないし図４を基に説明する。本実施の形態に関するものは、例えば図１に示す如く、組立式のソファに関するものであり、着座者を下方から支える座部２と、当該座部２に対してほぼ直角状に設けられるものであって着座者の背部を支持する背当部１と、からなることを基本とするものである。このような基本構成からなるものにおいて、上記座部２は、着座者の臀部を支持するものであって所定の弾発力を有するように形成されたクッション部２１と、当該クッション部２１の左右両脇のところに当該クッション部２１と一体的に形成されるものであって当該クッション部２１の高さよりも上方向へ所定の値だけ高く形成される肘掛け部２５と、からなるものである。そして、このような肘掛け部２５の内側のところであって上方端部付近のところにはＴスタッド状の形態からなるストライカ５が設けられるようになっている。そして、このように形成された座部２の前後方向の一方の端部側、本実施の形態のものにおいては後側のところには本座部２に対してほぼ直角状に、かつ、両肘掛け部２５、２５間に挟まれるように背当部１が設けられるようになっている。
【００１３】
次に、上記背当部１の構成等について説明する。このものは、図１または図３に示す如く、全体が四角形状の形態からなるものであって所定の厚さを有するように形成されているものである。そして、その厚さ方向には所定のバネ反力をもって撓み変形が可能なようになっているものである。この撓み変形によって着座者の背部を柔かく保持することができるようになる。このような構成からなる本背当部１の側面部のところには本背当部１を上記座部２に対して直立状に、すなわち、直角に保持する機構が設けられるようになっている。これら保持機構について、図１ないし図３を基に説明する。このものは、例えば図１または図３に示す如く、背当部１の側面部に設けられた保持部材１１１を主に形成されるようになっているものである。具体的には、本保持部材１１１は、図１または図３に示す如く、背当部１の側面部のところに設けられるものであって平板状の形態からなるとともに、このような平板状の保持部材１１１のところには、その縦方向に直線状の形態からなる溝状のガイド部１１が設けられるようになっている。そして、このような直線状の溝状形態からなるガイド部１１のところには肘掛け部２５のところに設けられたＴスタッド状のストライカ５が嵌り込むようになっているものである。
【００１４】
そして、このストライカ５は上記溝状のガイド部１１内をスライド移動するようになっているものである。また、このようなガイド部１１の下端部のところには、例えば図２に示す如く、末拡がり状に開いた形態からなる開口部１５が設けられるようになっている。これによって、背当部１の側面部に設けられた溝状のガイド部１１内への上記ストライカ５の嵌め込み作業（係合作業）が円滑に行なえるようになる。その具体的係合作業について図３を基に説明する。まず、背当部１の側面部に形成されたガイド部１１を肘掛け部２５の内側に設けられたストライカ５のところに持って行き、両者を係合させる。そして、このような状態において、背当部１全体を下方へと降ろして行く。これによって、背当部１は本背当部１の側面部に設けられたガイド部１１のところが上記肘掛け部２５に設けられたストライカ５に係合した状態で下方へと移動し、最終的には背当部１の下端面１９のところが上記座部２の後方端部であって本座部２の底面部２９のところに設けられたＬ字状のブラケット６６のところに当接するようになる。
【００１５】
これによって、背当部１の下端面１９と座部２の底面部２９とは同一の平面内に来るようになる。そして更に、このような状態において、上記背当部１の下端面１９のところに設けられた雌ネジ部１６のところに、例えば図３に示す如く、上記座部２の底面部２９の付近に設けられたＬ字状のブラケット６６を介してボルト状の形態からなる連結装置６を取付ける。なお、この連結装置６は上記背当部１に設けられた雌ネジ部１６とネジ結合する雄ネジ部６１を有するとともに、このような雄ネジ部６１を上記雌ネジ部１６のところへねじ込むように操作をするためのつまみ部６６６を有する形態からなるものである。
【００１６】
次に、このような構成からなる本組立式ソファの各構成部品を梱包する、その手順について、図４等を基に説明する。その前に、まず、図１または図３に示す如く、背当部１の下端面１９のところにブラケット６６を介して取付けられている連結装置６を解放させるようにする。すなわち、図１または図３において、連結装置６を形成するつまみ部６６６を回転させる。これによって連結装置６を解放状態にする。このような状態において、例えば図３に示す如く、背当部１を上方へと引き上げて、背当部１と座部２との結合状態を解放させる。次に、このように背当部１が座部２から分離された状態において、例えば図４の（Ａ）に示す如く、段ボール箱等からなる所定の包装容器９内に、まず、座部２を収納する。このような状態において、次に、図４の（Ｂ）に示す如く、背当部１を上記座部２上に設置する。なお、背当部１の設置は、座部２の包装容器９内への収納に先立って行なわせておくようにすることもできる。
【００１７】
いずれにしても、このようにして所定の包装容器９内に座部２及び背当部１を収納させることによって、本組立式ソファは所定の容積を有する包装容器９内に効率良く収納されることとなる。このようにして少ない空間内に収納された本組立式ソファの各構成部品は、所定の場所に搬送された後、上記包装容器９から取出され、かつ、上記梱包のときとは逆の手順を経ることによって、簡単に、かつ、特別な工具等を用いることなく、円滑に組立てられることとなる。
【符号の説明】
【００１８】
１  背当部
１１  ガイド部
１１１  保持部材
１５  開口部
１６  雌ネジ部
１９  下端面
２  座部
２１  クッション部
２５  肘掛け部
２９  底面部
５  ストライカ
６  連結装置
６１  雄ネジ部
６６  ブラケット
６６６  つまみ部
９  包装容器
【図１】
0005523085.tif 000002
【図２】
0005523085.tif 000003
【図３】
0005523085.tif 000004
【図４】
0005523085.tif 000005